(57)【要約】【課題】外部から視認されたときに従来とは異なる印象を与えることができ、斬新で様々な視覚的効果を得ることができる着せ替えカバンを提供する。【解決手段】本考案の着せ替えカバンは、ベースとなるカバン２と、カバン２の側面を覆うように構成されたカバー部材４と、カバー部材４をカバン２に対して着脱可能に固定する固定部材５と、カバン２の内部に設けられた光源３とを備え、カバン２は、光源３の光を透過可能な第１の光透過部２３を含み、カバー部材４は、光源３の光を透過可能な第２の光透過部４５を含む。【選択図】図１
0003227503.tif 000002
【実用新案登録請求の範囲】
【請求項１】
ベースとなるカバンと、
前記カバンの側面を覆うように構成されたカバー部材と、
前記カバー部材を前記カバンに対して着脱可能に固定する固定部材と、
前記カバンの内部に設けられた光源とを備え、
前記カバンは、前記光源の光を透過可能な第１の光透過部を含み、
前記カバー部材は、前記光源の光を透過可能な第２の光透過部を含む、着せ替えカバン。
【請求項２】
前記カバー部材は、略長方形状の底カバー部と、前記底カバー部の２つの長辺から立ち上がる一対の長辺側カバー部とを有し、
前記底カバー部および前記一対の長辺側カバー部のうち、少なくとも一方の前記長辺側カバー部は、前記第２の光透過部として複数の開口部を有する、請求項１に記載の着せ替えカバン。
【請求項３】
前記着せ替えカバンは、さらに、
前記一対の長辺側カバー部の長手方向における端部同士の間の空間を塞ぐように設けられる閉塞部材と、
前記閉塞部材を前記カバー部材に対して着脱可能に固定する補助固定部材とを備える、請求項２に記載の着せ替えカバン。
【請求項４】
前記カバー部材は金属製である、請求項１〜３のいずれか１項に記載の着せ替えカバン。
【請求項５】
前記カバー部材は、異なる光透過パターンを有する複数のカバー部材のうちの１つであり、前記複数のカバー部材のうちの別のカバー部材に交換可能である、請求項１〜４のいずれか１項に記載の着せ替えカバン。
【請求項６】
前記カバー部材は、前記第２の光透過部として複数の開口部を有し、
前記複数の開口部の配置パターンは、前記光透過パターンに応じて異なる、請求項５に記載の着せ替えカバン。
【請求項７】
着せ替えカバンであって、
ベースとなるカバンと、
前記カバンの側面を覆うように構成されたカバー部材と、
前記カバンの内部に設けられた光源とを備え、
前記カバンは、前記光源の光を透過可能な第１の光透過部を含み、
前記カバー部材は、前記光源の光を透過可能な第２の光透過部を含み、
前記カバー部材は、略長方形状の底カバー部と、前記底カバー部の２つの長辺から立ち上がる一対の長辺側カバー部とを有し、
前記底カバー部および前記一対の長辺側カバー部のうち、少なくとも一方の前記長辺側カバー部は、前記第２の光透過部として複数の開口部を有し、
前記着せ替えカバンは、さらに、
前記一対の長辺側カバー部の長手方向における端部同士の間の空間を塞ぐように設けられる閉塞部材と、
前記閉塞部材を前記カバー部材に対して着脱可能に固定する補助固定部材とを備える、着せ替えカバン。
【考案の詳細な説明】
【技術分野】
【０００１】
本考案は、着せ替えカバンに関する。
【背景技術】
【０００２】
従来、カバンまたは袋の内部に設けられた光源の光を、カバンまたは袋の生地を通じて外部へ照射する技術が提案されている（たとえば、特許文献１を参照）。
【先行技術文献】
【特許文献】
【０００３】
【特許文献１】実開昭４９−９０５０７号公報
【考案の概要】
【考案が解決しようとする課題】
【０００４】
しかしながら、このような特許文献１のカバンは、光源から照射される光が単調であり、外部から視認されたときの印象がより向上するカバンの提供が求められている。
【０００５】
本考案は、かかる問題点に鑑みて、外部から視認されたときに従来とは異なる印象を与えることができ、斬新で様々な視覚的効果を得ることができる着せ替えカバンを提供することを目的とする。
【課題を解決するための手段】
【０００６】
本考案の着せ替えカバンは、ベースとなるカバンと、前記カバンの側面を覆うように構成されたカバー部材と、前記カバー部材を前記カバンに対して着脱可能に固定する固定部材と、前記カバンの内部に設けられた光源とを備え、前記カバンは、前記光源の光を透過可能な第１の光透過部を含み、前記カバー部材は、前記光源の光を透過可能な第２の光透過部を含む。
【０００７】
また、前記カバー部材は、略長方形状の底カバー部と、前記底カバー部の２つの長辺から立ち上がる一対の長辺側カバー部とを有し、前記底カバー部および前記一対の長辺側カバー部のうち、少なくとも一方の前記長辺側カバー部は、前記第２の光透過部として複数の開口部を有することが好ましい。
【０００８】
また、前記着せ替えカバンは、さらに、前記一対の長辺側カバー部の長手方向における端部同士の間の空間を塞ぐように設けられる閉塞部材と、前記閉塞部材を前記カバー部材に対して着脱可能に固定する補助固定部材とを備えることが好ましい。
【０００９】
また、前記カバー部材は金属製であることが好ましい。
【００１０】
また、前記カバー部材は、異なる光透過パターンを有する複数のカバー部材のうちの１つであり、前記複数のカバー部材のうちの別のカバー部材に交換可能であることが好ましい。
【００１１】
また、前記カバー部材は、前記第２の光透過部として複数の開口部を有し、前記複数の開口部の配置パターンは、前記光透過パターンに応じて異なることが好ましい。
【００１２】
また、本考案の着せ替えカバンは、着せ替えカバンであって、ベースとなるカバンと、前記カバンの側面を覆うように構成されたカバー部材と、前記カバンの内部に設けられた光源とを備え、前記カバンは、前記光源の光を透過可能な第１の光透過部を含み、前記カバー部材は、前記光源の光を透過可能な第２の光透過部を含み、前記カバー部材は、略長方形状の底カバー部と、前記底カバー部の２つの長辺から立ち上がる一対の長辺側カバー部とを有し、前記底カバー部および前記一対の長辺側カバー部のうち、少なくとも一方の前記長辺側カバー部は、前記第２の光透過部として複数の開口部を有し、前記着せ替えカバンは、さらに、前記一対の長辺側カバー部の長手方向における端部同士の間の空間を塞ぐように設けられる閉塞部材と、前記閉塞部材を前記カバー部材に対して着脱可能に固定する補助固定部材とを備える。
【考案の効果】
【００１３】
本考案の着せ替えカバンによれば、外部から視認されたときに従来とは異なる印象を与えることができ、斬新で様々な視覚的効果を得ることができる。
【図面の簡単な説明】
【００１４】
【図１】本考案の第１の実施形態に係る着せ替えカバンの構成の一例を示す斜視図である。
【図２】本考案の第１の実施形態に係る着せ替えカバンの構成の一例を示す正面図である。
【図３】本考案の第１の実施形態に係る着せ替えカバンの構成の一例を示す側面図である。
【図４】本考案の第１の実施形態に係る着せ替えカバンにおけるカバンの一例を示す正面図である。
【図５】本考案の第１の実施形態に係る着せ替えカバンにおけるカバー部材の一例を示す側面図である。
【図６】本考案の第１の実施形態に係る着せ替えカバンにおけるカバー部材の一例を示す平面図である。
【図７】本考案の第１の実施形態に係る着せ替えカバンの構成の一例を示す正面図であり、図２に示すカバー部材を別のカバー部材に置換した状態を示す図である。
【図８】本考案の第２の実施形態に係る着せ替えカバンにおけるカバー部材および閉塞部材の一例を示す側面図である。
【図９】本考案の第２の実施形態に係る着せ替えカバンにおける閉塞部材の一例を示す斜視図である。
【考案を実施するための形態】
【００１５】
以下、本考案の実施形態に係る着せ替えカバンについて図面を用いて説明する。なお、図中同一または相当部分には同一符号を付してその説明は繰り返さない。また、以下に記載する実施形態の少なくとも一部同士を任意に組み合わせてもよい。また、以下に示す実施形態はあくまで例にすぎず、本考案の着せ替えカバンは、以下の例に限定されることはない。
【００１６】
＜第１の実施形態＞
図１は、本考案の第１の実施形態に係る着せ替えカバンの構成の一例を示す斜視図である。図２は、本考案の第１の実施形態に係る着せ替えカバンの構成の一例を示す正面図である。図３は、本考案の第１の実施形態に係る着せ替えカバンの構成の一例を示す側面図である。図４は、本考案の第１の実施形態に係る着せ替えカバンにおけるカバンの一例を示す正面図である。
【００１７】
なお、本明細書および図面において、方向Ｈは使用状態における着せ替えカバン１の高さ方向（縦方向）を表すものとする。また、方向Ｗは使用状態における着せ替えカバン１の幅方向（横方向）を表すものとする。また、方向Ｄは使用状態における着せ替えカバン１のマチ幅方向（奥行き方向）を表すものとする。
【００１８】
図１〜図４に示されるように、着せ替えカバン１は、ベースとなるカバン２と、カバン２の内部に設けられた光源３と、カバン２の側面を覆うように構成されたカバー部材４と、カバー部材４をカバン２に対して着脱可能に固定する固定部材５とを備える。
【００１９】
本実施形態では、カバン２の一例として、クラッチバッグ等の、持ち手のないカバンをあげて説明するが、本実施形態におけるカバン２は、持ち手のないカバン以外に、ブリーフケース等の、持ち手を有するカバンであってもよいし、リュックサック等の、肩紐を有するカバンであってもよい。
【００２０】
本実施形態では、カバン２は、図４に示されるように、物品を収容可能なカバン本体２１を有している。カバン本体２１は、線ファスナー２２と、光源３の光を透過可能な第１の光透過部２３とを含む。
【００２１】
カバン本体２１は、本実施形態では略直方体状に形成されている。詳細には、カバン本体２１は、略長方形状の底部２１１と、底部２１１の一対の長辺から立ち上がる略長方形状の２つの長辺側側壁部２１２と、底部２１１の一対の短辺から立ち上がる略長方形状の２つの短辺側側壁部２１３と、各長辺側側壁部２１２の上縁および各短辺側側壁部２１３の上縁と連続する略長方形状の上部２１４とを含む。上部２１４は、図３に示されるように、マチ幅方向Ｄの中央部において、幅方向Ｗに沿って２つに分割されている。なお、カバン本体２１は、上部２１４および線ファスナー２２を含まない構成であってもよい。
【００２２】
一方の長辺側側壁部２１２（図４参照）には、第１の光透過部２３が設けられる開口部２１５が形成されている。開口部２１５は、たとえば四角形状に形成され、詳細には、幅方向Ｗに沿って延びる長方形状に形成されている。なお、開口部２１５は、両方の長辺側側壁部２１２に形成される構成であってもよい。また、開口部２１５は、長辺側側壁部２１２に加えて、または代えて、短辺側側壁部２１３、上部２１４および底部２１１のうちの少なくともいずれか１つに形成される構成であってもよい。また、開口部２１５は、長方形状以外の形状であってもよく、たとえば、正方形状、楕円状、円形状等であってもよい。また、開口部２１５は、図４に示されるように、長辺側側壁部２１２の一部に形成される構成であってもよいし、長辺側側壁部２１２の略全体に形成される構成であってもよい。また、開口部２１５は、図４に示されるように、長辺側側壁部２１２に１つ形成される構成であってもよいし、長辺側側壁部２１２に複数形成される構成であってもよい。
【００２３】
第１の光透過部２３（図４参照）は、カバン本体２１の開口部２１５を塞ぐように、開口部２１５の周縁に設けられている。第１の光透過部２３は、たとえば、透明または半透明のシート状部材である。本実施形態では、第１の光透過部２３は可撓性を有する合成樹脂製の部材であり、開口部２１５の形状に合わせて四角形状に形成されている。詳細には、第１の光透過部２３は、開口部２１５の周縁に沿って、カバン本体２１の内面に取り付けられている。第１の光透過部２３をカバン本体２１に取り付ける方法は特に限定されず、たとえば、第１の光透過部２３がカバン本体２１に接着剤を用いて接着されてもよいし、第１の光透過部２３がカバン本体２１に熱溶着または超音波溶着により取り付けられてもよい。
【００２４】
光源３の種類は、特に限定されず、たとえば、ＬＥＤ（Light Emitting Diode）等の発光部品を有する照明器具である。詳細には、光源３は、ＬＥＤ等の発光部品と、当該発光部品を収容するハウジングと、当該発光部品へ電力を供給する電池等の電源とを含む。本実施形態では、光源３は、ＬＥＤ等の複数の発光部品と、当該発光部品を収容するハウジングとを含む。複数の発光部品は、ハウジングの長手方向に沿って並ぶように、ハウジング内に配置される。なお、発光部品の種類は、ＬＥＤに限定されず、たとえば、白熱電球または蛍光灯が使用されてもよい。また、発光部品の数は、複数に限定されず、１つであってもよい。また、ハウジングの形状は楕円柱状に限定されず、たとえば、円柱状、四角柱状であってもよい。また、光源３から光が照射される領域の長さは、たとえば、幅方向Ｗにおけるカバン本体２１の開口部２１５の長さよりも長い。光が照射される領域の長さをこのような長さにすることで、カバン本体２１の内部に物品が収容されている場合であっても、開口部２１５および第１の光透過部２３を通じて、光源３の光をより確実に外部へ照射することができる。
【００２５】
光源３は、第１の光透過部２３を通じて、光をカバン本体２１の内部から外部へ照射し得る位置に設けられる。本実施形態では、光源３は、カバン本体２１の内部に物品が収容された状態であっても、第１の光透過部２３を通じて光源３の光を外部へ照射し得る位置に設けられる。詳細には、光源３は、カバン本体２１の内部に物品が収容された状態であっても、光源３と開口部２１５とを結ぶ光路を当該物品がさえぎりにくい位置に設けられる。本実施形態では、光源３は、図１に示されるように、たとえば、カバン本体２１の分割された２つの上部２１４のうち、開口部２１５に近い側の上部２１４の内面に取り付けられる。光源３をこのような位置に配置することで、カバン本体２１の内部に物品が収容された状態であっても、光源３と開口部２１５とを結ぶ光路を当該物品がさえぎりにくい。したがって、開口部２１５および第１の光透過部２３を通じて多くの光を外部へ照射することができる。なお、光源３の位置は、開口部２１５に近い側の上部２１４に限定されず、たとえば、開口部２１５に近い側の上部２１４に加えて、または代えて、開口部２１５から遠い側の上部２１４の内面、長辺側側壁部２１２の内面、および短辺側側壁部２１３の内面のうちの少なくともいずれか１つであってもよい。
【００２６】
図５は、本考案の第１の実施形態に係る着せ替えカバンにおけるカバー部材の一例を示す側面図である。図６は、本考案の第１の実施形態に係る着せ替えカバンにおけるカバー部材の一例を示す平面図である。
【００２７】
図５および図６に示されるように、本実施形態では、カバー部材４は、カバン本体２１における２つの長辺側側壁部２１２を覆うように構成されている。詳細には、カバー部材４は、略長方形状の一対の長辺側カバー部４１と、一対の長辺側カバー部４１の下縁同士を繋ぐ略長方形状の底カバー部４２とを備えている。また、本実施形態では、カバー部材４は、一対の長辺側カバー部４１に設けられた一対の持ち手４３と、底カバー部４２の下面に設けられた４つの底鋲４４とを備えている。
【００２８】
長辺側カバー部４１は、カバン本体２１の長辺側側壁部２１２を覆う。底カバー部４２は、カバン本体２１の底部２１１を覆う。本実施形態では、長辺側カバー部４１は、長辺側側壁部２１２と略同じ大きさである。また、底カバー部４２は、底部２１１と略同じ大きさである。なお、長辺側カバー部４１は、長辺側側壁部２１２より大きくてもよいし、小さくてもよい。また、底カバー部４２は、底部２１１より大きくてもよいし、小さくてもよい。
【００２９】
長辺側カバー部４１および底カバー部４２は、本実施形態では金属製である。詳細には、長辺側カバー部４１および底カバー部４２は、たとえば、ステンレス、アルミニウムまたはアルミニウム合金により構成されている。また、長辺側カバー部４１および底カバー部４２は、たとえば、金属製の板状部材を断面略Ｕ字状に屈曲させることにより構成されている。なお、長辺側カバー部４１および底カバー部４２は、金属製に限定されず、たとえば、ポリエチレン等の合成樹脂製であってもよい。
【００３０】
カバー部材４は、光源３の光を透過可能な第２の光透過部４５を含む。本実施形態では、第２の光透過部４５は、長辺側カバー部４１および底カバー部４２に形成されている。長辺側カバー部４１および底カバー部４２には、第２の光透過部４５として、複数の開口部が形成されている。当該開口部は、たとえば円形状であるが、円形状以外の形状、たとえば四角形状またはスリット状であってもよい。複数の開口部は、長辺側カバー部４１および底カバー部４２において、互いの間隔が略均一となるように満遍なく配置されている。
【００３１】
本実施形態では、第２の光透過部４５は、カバー部材４がカバン２を覆った状態で、カバン２の開口部２１５に対向する領域（以下、対向領域とも称する）と、開口部２１５に対向しない領域（以下、非対向領域とも称する）とに設けられている。なお、第２の光透過部４５は、カバー部材４がカバン２を覆った状態で対向領域に設けられ、非対向領域に設けられない構成であってもよい。第２の光透過部４５が対向領域に設けられる構成により、カバン本体２１の開口部２１５、第１の光透過部２３および第２の光透過部４５を通じて、光源３の光を着せ替えカバン１の外部へ照射することができる。なお、第２の光透過部４５の光透過パターンは、特に限定されず、上述のように、互いの間隔が略均一となるように複数の開口部が配置されるというパターンＰ１の他、たとえば、対向領域において、なんらかの文字または図形を表わすパターンであってもよい。
【００３２】
持ち手４３は、ユーザが着せ替えカバン１を持ち運ぶ際に把持する部分であり、帯状に形成されている。持ち手４３は、ユーザによって把持された際に、非対向領域に対応する位置に配置されるように設けられている。詳細には、略逆Ｕ字状に湾曲した持ち手４３の両端部が、長辺側カバー部４１における、対向領域よりも上側の位置に取り付けられている。これにより、ユーザが持ち手４３を把持した際に、第２の光透過部４５を通じて外部に照射された光源３の光を持ち手４３がさえぎることを抑制することができる。なお、持ち手４３が光源３の光をさえぎらないような位置であれば、持ち手４３の取付位置は特に限定されない。
【００３３】
底鋲４４は、カバン本体２１の底部２１１の四隅に取り付けられる。底鋲４４は、たとえば、ステンレス等の金属製である。底鋲４４を取り付けることにより、底部２１１が汚れるのを抑制することができるとともに、着せ替えカバン１を平面上に置いたときの安定性を高めることができる。なお、底鋲４４は設けられなくてもよい。
【００３４】
固定部材５は、図３に示されるように、たとえば、カバン２の側面、具体的には、長辺側側壁部２１２の外面に設けられるカバン側固定部５１と、長辺側カバー部４１の内面に設けられるカバー側固定部５２とを含む。カバン側固定部５１およびカバー側固定部５２は、結合力に磁石の磁力を用いる構成である。
【００３５】
本実施形態では、２つのカバン側固定部５１が、一方の長辺側カバー部４１における高さ方向Ｈの中央部において、一方の長辺側カバー部４１における幅方向Ｗの両端部に設けられる。また、別の２つのカバン側固定部５１が、他方の長辺側カバー部４１における高さ方向Ｈの中央部において、他方の長辺側カバー部４１における幅方向Ｗの両端部に設けられる。
【００３６】
また、一方の長辺側カバー部４１において、２つのカバー側固定部５２が、一方の長辺側側壁部２１２に設けられた２つのカバン側固定部５１と対応する位置に設けられる。また、他方の長辺側カバー部４１において、別の２つのカバー側固定部５２が、他方の長辺側側壁部２１２に設けられた２つのカバン側固定部５１と対応する位置に設けられる。
【００３７】
カバン側固定部５１は、カバー部材４に設けられたカバー側固定部５２に対して着脱可能に連結される。カバン側固定部５１およびカバー側固定部５２は、磁力により連結される。また、カバン側固定部５１およびカバー側固定部５２に対して、カバン側固定部５１およびカバー側固定部５２を引き離す方向への力を加えることにより、カバン側固定部５１およびカバー側固定部５２の連結を解除することができる。
【００３８】
カバン側固定部５１およびカバー側固定部５２のいずれか一方は、他方側へ向かって突出する係合用突部５１１（図４参照）を有し、他方は、係合用突部５１１に対して着脱可能に嵌合する図示しない係合用孔部を有する。本実施形態では、カバン側固定部５１が係合用突部５１１を有し、カバー側固定部５２が係合用孔部を有する。
【００３９】
磁石の磁力を用いてカバン側固定部５１およびカバー側固定部５２の連結を行うことにより、カバン２に対するカバー部材４の取り付けおよび取り外しを、簡単な構成で容易に行うことができる。
【００４０】
なお、固定部材５は、結合力に磁石の磁力を用いる構成以外の構成であってもよく、たとえば、スナップフィットおよび面接合ファスナー等の機械的な接合を用いる構成であってもよい。
【００４１】
図７は、本考案の第１の実施形態に係る着せ替えカバンの構成の一例を示す正面図であり、図２に示すカバー部材を別のカバー部材に置換した状態を示す図である。
【００４２】
図２に示すカバー部材４は、異なる光透過パターンを有する複数のカバー部材のうちの１つであり、複数のカバー部材のうちの別のカバー部材に交換可能である。たとえば、図２に示すカバー部材４は、図７に示すカバー部材４０に交換可能である。
【００４３】
図７に示される例では、第２の光透過部４５の光透過パターンは、上記対向領域において、文字を表すパターンＰ２となっている。すなわち、図７に示されるカバー部材４０と図２に示されるカバー部材４とでは、光透過パターンが異なるため、複数の開口部の配置パターンが異なる。具体的には、第２の光透過部４５の光透過パターンＰ２は、「Ｓ３」という文字を表示するパターンである。すなわち、第２の光透過部４５としての複数の開口部は、上記対向領域において、「Ｓ３」という文字を表すように並んでいる。このように、文字または図形を表すように並ぶ複数の開口部を通じて、光源３の光が外部へ照射されることで、着せ替えカバン１０を見た人に当該文字または図形を認識させることができる。そして、当該文字または図形が、なんらかのメッセージを含む場合には、着せ替えカバン１０を見た人に当該メッセージを認識させることができる。たとえば、当該文字または図形が防犯の意識を喚起するメッセージである場合には、着せ替えカバン１０を見た人に防犯の意識を喚起させることができる。なお、第２の光透過部４５の光透過パターンは、図７に示す例に限定されず、他の文字または図形であってもよい。また、置換前のカバー部材と、置換後のカバー部材とは、たとえば、色彩および材質が異なる構成であってもよい。
【００４４】
このように、カバン２に取り付けられているカバー部材４を、カバー部材４とは異なる光透過パターンを有する別のカバー部材４０に着せ替える、すなわち交換することにより、着せ替えカバンの内部から外部へ照射される光の照射パターンが変更されるため、着せ替えカバンを見る人に対して、さまざまなメッセージを伝えたり、さまざまな印象を与えたりすることができる。したがって、カバンの内部に設けられた光源の光を、カバンの生地を通じて単に外部へ照射する従来技術と比べて、外部から視認されたときに異なる印象を与えることができ、斬新で様々な視覚的効果を有する着せ替えカバンとすることができる。
【００４５】
次に、図１〜図３および図７を参照して、着せ替えカバンの使用方法について説明する。まず、図１〜図３に示されるように、カバー部材４内にカバン２を挿入し、カバン側固定部５１およびカバー側固定部５２を磁力により連結する。これにより、カバン２に対してカバー部材４が固定される。
【００４６】
次に、カバン２内の光源３の電源をオン状態にする。これにより、光源３が点灯または点滅し、光源３の光が、カバン本体２１の開口部２１５、第１の光透過部２３および第２の光透過部４５を通じて、着せ替えカバン１の外部へ照射される。これにより、着せ替えカバン１を見た人は、互いの間隔が略均一となるように複数の開口部が配置されるパターンＰ１の光を認識することができる（図２参照）
【００４７】
次に、カバン側固定部５１およびカバー側固定部５２を互いに引き離す方向へ引っ張り、カバン側固定部５１およびカバー側固定部５２の連結を解除する。そして、カバー部材４からカバン２を取り出す。
【００４８】
次に、図７に示されるように、カバー部材４０内にカバン２を挿入し、カバン側固定部５１およびカバー側固定部５２を磁力により連結する。これにより、カバン２に対してカバー部材４０が固定される。これにより、光源３の光が、カバン本体２１の開口部２１５、第１の光透過部２３および第２の光透過部４５を通じて、着せ替えカバン１０の外部へ照射される。着せ替えカバン１０を見た人は、上記対向領域において、文字を表すパターンＰ２の光を認識することができる。
【００４９】
＜第２の実施形態＞
本実施形態は、第１の実施形態に係る着せ替えカバン１と比べて、閉塞部材６が追加されるとともに、補助固定部材７が設けられた着せ替えカバンに関する。以下で説明する内容以外は第１の実施形態に係る着せ替えカバン１と同様である。
【００５０】
図８は、本考案の第２の実施形態に係る着せ替えカバンにおけるカバー部材および閉塞部材の一例を示す側面図である。図９は、本考案の第２の実施形態に係る着せ替えカバンにおける閉塞部材の一例を示す斜視図である。
【００５１】
図８および図９に示されるように、本実施形態に係る着せ替えカバンは、図１に示す着せ替えカバン１と比べて、さらに、閉塞部材６および補助固定部材７を備える。
【００５２】
閉塞部材６は、一対の長辺側カバー部４１の長手方向における端部同士の間の空間（以下、端部空間とも称する）を塞ぐように設けられる。詳細には、閉塞部材６は、長辺側カバー部４１の高さ方向Ｈに沿って延びる略長方形状の短辺側カバー部６１と、マチ幅方向Ｄにおける短辺側カバー部６１の両縁部に設けられるフランジ部６２とを含む。
【００５３】
本実施形態では、高さ方向Ｈにおける短辺側カバー部６１の長さ（高さ）は、高さ方向Ｈにおける長辺側カバー部４１の長さ（高さ）より短い。なお、高さ方向Ｈにおける短辺側カバー部６１の長さは、高さ方向Ｈにおける長辺側カバー部４１の長さと同程度であってもよい。
【００５４】
図９に示されるように、フランジ部６２は、高さ方向Ｈに沿って延びている。閉塞部材６が端部空間を塞ぐように設けられた状態において、フランジ部６２は、長辺側カバー部４１の内面に対向するように配置される。
【００５５】
また、本実施形態では、短辺側カバー部６１およびフランジ部６２には、第２の光透過部４５と同様の光透過部６３が形成されている。光透過部６３は、たとえば、開口部である。
【００５６】
補助固定部材７は、閉塞部材６をカバー部材４に対して着脱可能に固定する。補助固定部材７は、たとえば、フランジ部６２の外面に設けられるフランジ側固定部７１と、長辺側カバー部４１の内面に設けられるカバー側固定部７２とを含む。フランジ側固定部７１およびカバー側固定部７２は、結合力に磁石の磁力を用いる構成である。
【００５７】
本実施形態では、各閉塞部材６において、２つのフランジ側固定部７１が、一方のフランジ部６２に設けられる。また、別の２つのフランジ側固定部７１が、他方のフランジ部６２に設けられる。各フランジ部６２において、２つのフランジ側固定部７１は、高さ方向Ｈにおいて互いに所定の間隔をあけて設けられる。また、長辺側カバー部４１には、対応するフランジ部６２ごとに、２つのカバー側固定部７２が、２つのフランジ側固定部７１と対応する位置に設けられる。
【００５８】
フランジ側固定部７１は、カバー部材４に設けられたカバー側固定部７２に対して着脱可能に連結される。フランジ側固定部７１およびカバー側固定部７２は、磁力により連結される。また、フランジ側固定部７１およびカバー側固定部７２に対して、フランジ側固定部７１およびカバー側固定部７２を引き離す方向への力を加えることにより、フランジ側固定部７１およびカバー側固定部７２の連結を解除することができる。これにより、カバー部材４から閉塞部材６を取り外すことができる。
【００５９】
フランジ側固定部７１およびカバー側固定部７２のいずれか一方は、他方側へ向かって突出する係合用突部７１１（図９参照）を有し、他方は、係合用突部７１１に対して着脱可能に嵌合する図示しない係合用孔部を有する。本実施形態では、フランジ側固定部７１が係合用突部７１１を有し、カバー側固定部７２が係合用孔部を有する。
【００６０】
磁石の磁力を用いてフランジ側固定部７１およびカバー側固定部７２の連結を行うことにより、カバー部材４に対する閉塞部材６の取り付けおよび取り外しを、簡単な構成で容易に行うことができる。
【００６１】
なお、カバー側固定部７２は、第１の実施形態におけるカバー側固定部５２と同じであってもよいし、カバー側固定部５２とは別に設けられたものであってもよい。カバー側固定部７２がカバー側固定部５２と同じである場合には、たとえば、長辺側カバー部４１において、対応するフランジ部６２ごとに、カバー側固定部５２と、カバー側固定部５２よりも下方に位置するカバー側固定部７２とが設けられる。また、フランジ部６２には、カバー側固定部５２と連結可能なフランジ側固定部７１と、カバー側固定部７２と連結可能なフランジ側固定部７１とが設けられる。
【００６２】
本実施形態では、第１の実施形態に係る着せ替えカバンが奏する効果に加えて、さらに、以下の効果を奏することができる。すなわち、カバン２が取り外された状態であっても、カバー部材４と閉塞部材６とで囲まれる空間に物品を収容することができるため、着せ替えカバンのバリエーションをさらに増やすことができる。
【符号の説明】
【００６３】
１、１０  着せ替えカバン
２  カバン
２１  カバン本体
２１１  底部
２１２  長辺側側壁部
２１３  短辺側側壁部
２１４  上部
２１５  開口部
２２  線ファスナー
２３  第１の光透過部
３  光源
４、４０  カバー部材
４１  長辺側カバー部
４２  底カバー部
４３  持ち手
４４  底鋲
４５  第２の光透過部
５  固定部材
５１  カバン側固定部
５１１  係合用突部
５２  カバー側固定部
６  閉塞部材
６１  短辺側カバー部
６２  フランジ部
７  補助固定部材
７１  フランジ側固定部
７１１  係合用突部
Ｄ  マチ幅方向
Ｈ  高さ方向
Ｗ  幅方向
【図１】
0003227503.tif 000003
【図２】
0003227503.tif 000004
【図３】
0003227503.tif 000005
【図４】
0003227503.tif 000006
【図５】
0003227503.tif 000007
【図６】
0003227503.tif 000008
【図７】
0003227503.tif 000009
【図８】
0003227503.tif 000010
【図９】
0003227503.tif 000011